(57)【要約】【課題】植栽帯に埋設されている排水管への土砂や落葉等の流入を抑制できる植栽帯用排水蓋の設置構造を提供する。【解決手段】植栽帯２００に埋設されている排水管３００の上方に設置する植栽帯用排水蓋１００の設置構造である。植栽帯用排水蓋１００は、略中央に排水孔１１を有する平板部１０と、排水孔１１を覆うように格子状または網目状に形成された覆い部２０とを備え、平板部１０が、排水管３００の上方における植栽帯の未舗装の地盤面ＧＬに載置されている。【選択図】図１
2019203348.tif 000002
【特許請求の範囲】
【請求項１】
植栽帯に埋設されている排水管の上方に設置する植栽帯用排水蓋の設置構造であって、
前記植栽帯用排水蓋は、略中央に排水孔を有する平板部と、前記排水孔を覆うように格子状または網目状に形成された覆い部とを備え、
前記平板部が、前記排水管の上方における植栽帯の未舗装の地盤面に載置されている、植栽帯用排水蓋の設置構造。
【請求項２】
前記覆い部は前記平板部の外側面から上方に立ち上がる複数の縦桟を有し、前記複数の縦桟のそれぞれの立上り部が前記平板部の外側面から外方に突出している、請求項１に記載の植栽帯用排水蓋の設置構造。
【請求項３】
隣接する立上り部間の前記平板部の外側面が逆テーパとなっている、請求項２に記載の植栽帯用排水蓋の設置構造。
【請求項４】
前記覆い部は前記平板部から上方に立ち上がる複数の縦桟を有し、隣接する縦桟間の隙間が下方に向けて狭くなっている、請求項１から３のいずれかに記載の植栽帯用排水蓋の設置構造。
【請求項５】
前記植栽帯用排水蓋は、前記平板部から下方に伸びる連結部を備え、この連結部と前記排水管とが着脱可能に連結されている、請求項１から４のいずれかに記載の植栽帯用排水蓋の設置構造。
【発明の詳細な説明】
【技術分野】
【０００１】
本発明は、植栽帯に埋設されている排水管の上方に設置する植栽帯用排水蓋の設置構造に関する。
【背景技術】
【０００２】
昨今、特に都市部の緑化対策として植栽帯が設けられることが多くなっている。植栽帯は通常未舗装（表面が、アスファルト、セメントコンクリート、石等の堅硬な舗装材料で敷き固められていないことをいう。以下同じ。）であり、ある程度の雨水は未舗装の土中に透水される。ただし、近年、ゲリラ豪雨等が頻発するようになっていることから、植栽帯においても雨水排水能力の向上が求められており、そのため、植栽帯に排水管または排水管とともに排水桝等を埋設し、その排水管や排水桝を通じて雨水を排水するという対策が採られるようになってきている。
【０００３】
このような排水管や排水桝の上方には、特許文献１に開示されているグレーチング蓋や特許文献２に開示されている通水蓋のような排水蓋が設置される。しかし、特許文献１や特許文献２に開示されている従来の排水蓋は、基本的に舗装された路面に設置されるもので、これをそのまま未舗装の植栽帯に設置した場合、土砂や落葉等が排水管へ多量に流入し、排水管が閉塞するなどの問題が生じる。
【先行技術文献】
【特許文献】
【０００４】
【特許文献１】特開２００７−３０８９５４号公報
【特許文献２】特開２００１−２６２６８０号公報
【発明の概要】
【発明が解決しようとする課題】
【０００５】
本発明が解決しようとする課題は、植栽帯に埋設されている排水管への土砂や落葉等の流入を抑制できる植栽帯用排水蓋の設置構造を提供することにある。
【課題を解決するための手段】
【０００６】
本発明の一観点によれば、次の植栽帯用排水蓋の設置構造が提供される。
植栽帯に埋設されている排水管の上方に設置する植栽帯用排水蓋の設置構造であって、
前記植栽帯用排水蓋は、略中央に排水孔を有する平板部と、前記排水孔を覆うように格子状または網目状に形成された覆い部とを備え、
前記平板部が、前記排水管の上方における植栽帯の未舗装の地盤面に載置されている、植栽帯用排水蓋の設置構造。
【０００７】
この設置構造において植栽帯用排水蓋は略中央に排水孔を有する平板部と、排水孔を覆うように格子状または網目状に形成された覆い部を備えるから、大きな石や落葉等はこの格子状または網目状の覆い部に引っ掛かる。また、植栽帯用排水蓋の平板部は植栽帯の地盤面に載置されているから、平板部の上面は平板部の厚さの分だけ植栽帯の地盤面より上に位置することとなり、土砂や落葉等が平板部の上面へ乗り上げにくくなる。さらに、排水管へ通じる排水孔は平板部の略中央にあるから、雨水とともに流れ込んでくる土砂や落葉等は、平板部の上面を伝わってから排水孔へ向かうことになる。これらにより、排水管への土砂や落葉等の流入が抑制される。
加えて、植栽帯用排水蓋の平板部が植栽帯の地盤面に載置されているということは、排水管の周囲の地盤面が平板部で覆われているということであり、これにより排水管の周囲の洗掘（浸食作用の一つで、雨水の流れによって排水管の周囲の土砂が削り崩されて窪みができる現象をいう。この窪みができると排水管へ雨水が流れ込みにくくなる。以下同じ。）を抑制することもできる。
【０００８】
この設置構造において植栽帯用排水蓋の覆い部は平板部の外側面から上方に立ち上がる複数の縦桟を有し、複数の縦桟のそれぞれの立上り部が平板部の外側面から外方に突出する構成とすることができる。この構成により、土砂や落葉等が平板部の外側面から外方に突出する立上り部に引っ掛かりやすくなり、排水管への土砂や落葉等の流入抑制効果が向上する。
【０００９】
この構成において、隣接する立上り部間の平板部の外側面は逆テーパとすることができる。これにより、土砂や落葉等が平板部の上面へ乗り上げにくくなり、排水管への土砂や落葉等の流入抑制効果が向上する。
【００１０】
また、隣接する縦桟間の隙間は下方に向けて狭くなるように構成することもできる。これにより、土砂や落葉等が隣接する縦桟間に引っ掛かりやすくなり、排水管への土砂や落葉等の流入抑制効果が向上する。
【００１１】
この設置構造において植栽帯用排水蓋は、平板部から下方に伸びる連結部を備え、この連結部と排水管とを着脱可能に連結するとこができる、これにより、植栽帯用排水蓋を排水管の上方に確実に設置することができる。
【発明の効果】
【００１２】
本発明によれば、植栽帯に埋設されている排水管への土砂や落葉等の流入を抑制できる。
【図面の簡単な説明】
【００１３】
【図１】本発明の一実施形態である植栽帯用排水蓋の設置構造を示す概念図。
【図２】図１に示した植栽帯用排水蓋の上方斜視図。
【図３】図１に示した植栽帯用排水蓋の下方斜視図。
【図４】図１に示した植栽帯用排水蓋の平面図。
【図５】図１に示した植栽帯用排水蓋のＡ−Ａ線断面図。
【図６】図１に示した植栽帯用排水蓋のＢ−Ｂ線断面図。
【図７】図１に示した植栽帯用排水蓋の連結部と排水管との連結構造を示す分解斜視図。
【図８】排水管の周囲の洗掘を模式的に示す説明図。
【発明を実施するための形態】
【００１４】
図１に、本発明の一実施形態である植栽帯用排水蓋の設置構造を示している。また、図２〜６には図１に示した植栽帯用排水蓋を単独で示している。
【００１５】
図１に示しているように、この実施形態において植栽帯用排水蓋１００は、未舗装の植栽帯２００に鉛直方向に埋設されている排水管３００の上方に設置されている。また、この排水管３００の下方には雨水浸透桝４００が設置されるとともに雨水搬送管５００が接続されている。植栽帯２００の周りには舗装された遊歩道６００が設置されており、雨水はこの遊歩道６００からも植栽帯２００へ流れ込んでくる。また、未舗装の植栽帯２００には土砂や落葉等（図示省略）が多く堆積しており、植栽帯用排水蓋１００へは雨水とともに土砂や落葉等が流れ込んでくる。この土砂や落葉等がそのまま排水管３００へ流入すると、排水管３００が閉塞するなどの問題が生じる。そこで、この実施形態の植栽帯用排水蓋の設置構造は、以下に述べるように、排水管３００への土砂や落葉等の流入を抑制できる構造としている。
なお、この実施形態において排水管３００の下方には雨水浸透桝４００が設置されるとともに雨水搬送管５００が接続されているが、これに限定されず、雨水浸透桝が設置されず、雨水搬送管のみが排水管に接続されていてもよい。
【００１６】
まず、植栽帯用排水蓋１００の構成について図２〜６を参照しつつ説明すると、この植栽帯用排水蓋１００は鋳鉄製であり、平板部１０と覆い部２０と連結部３０とを備えている。
【００１７】
この実施形態において平板部１０は四角形（正方形状）であり、その略中央に円形状の排水孔１１を有する。なお、平板部１０の形状は四角形状（正方形状）には限定されず、例えば長方形状、多角形状、円形状や楕円形状であってもよい。また、排水孔１１の形状も円形状には限定されない。
【００１８】
この実施形態において覆い部２０は、平板部１０の排水孔１１を覆うように格子状に形成されている。具体的には、この実施形態において覆い部２０は、平板部１０の４つの外側面１０ａからそれぞれ上方に立ち上がる複数の縦桟２１を有するとともに、対向する縦桟２１，２１の上端部どうしを連結する横桟２２を有し、これら縦桟２１および横桟２２の組合せにより、排水孔１１を覆うように格子状に形成されている。なお、図２に表れているように、この実施形態において縦桟２１の上端部は全て同じ高さというわけではなく、異なる高さの横桟２２が形成されている。また、これら複数の縦桟２１の立上り部２１ａは平板部１０の外側面１０ａから外方に突出している。
【００１９】
さらに、隣接する立上り部２１ａ，２１ａ間の平板部１０の外側面１０ａは、図５に明確に表れているように逆テーパとなっている。なお、逆テーパとは周知のとおり上方に向かうに従い拡大する形状をいう。また、図５および図６に明確に表れているように、隣接する縦桟２１，２１間の隙間Ｓは下方に向けて狭くなっている。
なお、この実施形態において、外側面１０ａを鉛直方向の面や正テーパ（上方に向かうに従い縮小する形状）とすることもできるし、また、隣接する縦桟２１，２１間の上方の隙間と下方の隙間を同じ間隔とすることや、上方に向けて狭くすることもできる。土砂や落葉等を引っ掛かりやすくし、土砂や落葉等の排水管への流入抑制効果を向上させるには、この実施形態のように外側面１０ａを逆テーパとするとともに、隙間Ｓが下方に向けて狭くなっていることが好ましい。
【００２０】
また、この実施形態において覆い部２０は、縦桟２１および横桟２２の組合せにより格子状に形成したが、複数の縦桟２１および横桟２２の組合せにより網目状に形成することもできる。また、複数の縦桟２１は平板部１０の４つの外側面１０ａから立ち上げるのではなく、平板部１０の上面１０ｂから立ち上げるようにすることもできる。要するに覆い部２０は、排水孔１１を覆うように格子状または網目状に形成すればよい。
【００２１】
この実施形態において連結部３０は平板部１０から下方に伸びるように形成されており、この連結部３０と排水管３００とが着脱可能に連結される。具体的には、この実施形態において連結部３０は、平板部１０の排水孔１１を囲むように排水孔１１の周囲に等間隔で３箇所に形成されており、排水管３００と連結するために連結溝３１が３箇所の連結部３０に各々形成されている。そして、排水管３００と連結する際には図７に示しているように、排水管３００に連結ピン３０１を設置するとともに、この連結ピン３０１に連結溝３１の開口端を嵌め合せ、植栽帯用排水蓋１００を反時計回りに回転させる。これにより、植栽帯用排水蓋１００が連結部３０を介して排水管３００に連結される。一方、植栽帯用排水蓋１００を排水管３００から取り外す際には、植栽帯用排水蓋１００を時計回りに回転させて、連結ピン３０１を連結溝３１の開口端から取り外す。このように、この実施形態では、連結部３０を介して植栽帯用排水蓋１００を排水管３００の上方に確実に設置することができる。しかも、この実施形態の連結部３０によれば、前述のとおりワンタッチ方式で植栽帯用排水蓋１００を排水管３００に着脱可能であるので、植栽帯用排水蓋１００の設置または撤去の作業や、排水管３００の清掃作業が容易となる。
なお、この実施形態では連結部３０を介さずに、単に植栽帯用排水蓋を排水管の上方に設置することもできる。植栽帯用排水蓋を排水管の上方に確実に設置するには、この実施形態のように連結部を備えることが好ましい。また、連結部の構成としては、この実施形態の連結部３０のように連結溝３１と連結ピン３０１によるワンタッチ方式とすることがより好ましい。
【００２２】
次に、この実施形態の植栽帯用排水蓋の設置構造の作用効果について説明する。
この実施形態において植栽帯用排水蓋１００は排水孔１１を覆うように格子状に形成された覆い部２０を備えるから、大きな石や落葉等はこの格子状の覆い部２０に引っ掛かる。また、植栽帯用排水蓋１００の平板部１０は、図１に示しているように植栽帯２００の地盤面ＧＬに載置されているから、平板部１０の上面１０ｂは平板部１０の厚さの分だけ植栽帯２００の地盤面ＧＬより上に位置することとなり、土砂や落葉等が平板部１０の上面１０ｂへ乗り上げにくくなる。さらに、排水管３００へ通じる排水孔１１は平板部１０の略中央にあるから、雨水とともに流れ込んでくる土砂や落葉等は、平板部１０の上面１０ｂを伝わってから排水孔１１へ向かうことになる。これらにより、排水管３００への土砂や落葉等の流入が抑制される。
加えて、植栽帯用排水蓋１００の平板部１０が植栽帯２００の地盤面ＧＬに載置されているということは、排水管３００の周囲の地盤面ＧＬが平板部１０で覆われているということであり、これにより排水管３００の周囲の洗掘を抑制することができる。ここで、洗掘とは、例えば図８に模式的に示しているように、雨水の流れによって排水管３００の周囲の土砂が削り崩されて窪みＤができる現象をいう。この実施形態では、図１に示しているように排水管３００の周囲の地盤面ＧＬが平板部１０で覆われているから、排水管３００の周囲の土砂が削り崩されず、洗掘を抑制することができる。なお、この実施形態において排水管３００の上部側面には透水用の孔は設けられていないので、図８に示しているように洗掘により排水管３００の上部周囲に窪みＤができると、その窪みＤに雨水が溜まってしまうといった問題が生じるところ、この実施形態によれば洗掘を抑制することができるので、前述の問題が生じることを抑制できる。
【００２３】
以上がこの実施形態の植栽帯用排水蓋の設置構造による基本的な作用効果であるが、この実施形態によれば、付加的に以下の作用効果が得られる。
すなわち、この実施形態では、複数の縦桟２１のそれぞれの立上り部２１ａが平板部１０の外側面１０ａから外方に突出しているから、土砂や落葉等が平板部１０の外側面１０ａから外方に突出する立上り部２１ａに引っ掛かりやすくなり、排水管３００への土砂や落葉等の流入抑制効果が向上する。
また、この実施形態では、複数の縦桟２１の隣接する立上り部２１ａ，２１ａ間の平板部の外側面１０ａは逆テーパとなっているから、土砂や落葉等が平板部１０の上面１０ｂへさらに乗り上げにくくなり、排水管３００への土砂や落葉等の流入抑制効果が向上する。
さらに、この実施形態では、隣接する縦桟２１，２１間の隙間Ｓが下方に向けて狭くなっているから、土砂や落葉等が隣接する縦桟２１，２１間に引っ掛かりやすくなり、排水管３００への土砂や落葉等の流入抑制効果が向上する。
【００２４】
以上、本発明の実施形態を説明したが、本発明がこの実施形態に限定されず各種の変形が可能であることは既に述べているところであり、これら以外にも本発明の技術的思想を逸脱しない範囲内で各種の変形が可能であることは当業者に自明である。
【符号の説明】
【００２５】
１００  植栽帯用排水蓋
１０  平板部
１０ａ  外側面
１０ｂ  上面
１１  排水孔
２０  覆い部
２１  縦桟
２１ａ  立上り部
３０  連結部
３１  連結溝
２００  植栽帯
３００  排水管
３０１  連結ピン
４００  雨水浸透桝
５００  雨水搬送管
６００  遊歩道
【図１】
2019203348.tif 000003
【図２】
2019203348.tif 000004
【図３】
2019203348.tif 000005
【図４】
2019203348.tif 000006
【図５】
2019203348.tif 000007
【図６】
2019203348.tif 000008
【図７】
2019203348.tif 000009
【図８】
2019203348.tif 000010